(57)【要約】【課題】  複数の歌唱者が任意のカラオケ楽曲について交代で歌唱する際に、各歌唱者の歌唱時間に偏りが生じることがないように、各歌唱者の歌唱範囲を指示する。【解決手段】  所定の選曲手段２２ａをもって任意のカラオケ楽曲について予約を行う際に、当該選曲手段２２ａを構成する入出力手段２２ｂにて入力設定された歌唱人数を、当該カラオケ楽曲に付帯させて予約待ち行列３３ａに登録させる歌唱人数設定登録手段３７と、予約待ち行列３３ａに登録されたカラオケ楽曲の歌唱時間を、当該カラオケ楽曲の歌唱人数に対応させて、各歌唱者の歌唱範囲として分配する歌唱範囲分配手段３８と、分配された各歌唱者の歌唱範囲に対応させて、それぞれ異なる歌詞文字の表示色を設定する歌詞文字配色設定手段３９と、を備える。【選択図】  図１
2010128138.tif 000002
【特許請求の範囲】
【請求項１】
複数の歌唱者が任意のカラオケ楽曲について交代で歌唱する際に、表示装置に表示される歌詞文字の表示色を、各歌唱者の歌唱範囲に対応させて配色するシステムであって、
歌唱人数設定登録手段と、歌唱範囲分配手段と、歌詞文字配色設定手段と、を備え、
前記歌唱人数設定登録手段は、所定の選曲手段をもって任意のカラオケ楽曲について予約を行う際に、当該選曲手段を構成する入出力手段にて入力設定された歌唱人数を、当該カラオケ楽曲に付帯させて予約待ち行列に登録させ、
前記歌唱範囲分配手段は、前記予約待ち行列に登録されたカラオケ楽曲の歌唱時間を、当該カラオケ楽曲の歌唱人数に対応させて、各歌唱者の歌唱範囲として分配し、
前記歌詞文字配色設定手段は、前記分配された各歌唱者の歌唱範囲に対応させて、それぞれ異なる歌詞文字の表示色を設定する、
ことを特徴とするカラオケ歌詞表示配色システム。
【請求項２】
ログイン利用者管理手段をさらに備え、
前記ログイン利用者管理手段は、現にカラオケ演奏装置にログインしている利用者を、利用者ＩＤに基づき特定して管理し、
前記歌詞文字配色設定手段は、前記入出力手段にて入力設定された利用者ＩＤ毎の表示色に基づき、前記分配された各歌唱者の歌唱範囲に対応させて、それぞれ異なる歌詞文字の表示色を設定する、
ことを特徴とする請求項１に記載のカラオケ歌詞表示配色システム。
【発明の詳細な説明】
【技術分野】
【０００１】
本発明は、複数の歌唱者が任意のカラオケ楽曲について交代で歌唱する際に、表示装置に表示される歌詞文字の表示色を、各歌唱者の歌唱範囲に対応させて配色するカラオケ歌詞表示配色システムに関するものである。
【背景技術】
【０００２】
現在普及しているカラオケ演奏装置は、カラオケ楽曲の演奏に際して、表示装置に歌詞テロップが表示されるようになっている。この歌詞テロップ表示は、歌唱の補助を行うために、演奏の進行に合わせて色変わりする。また、デュエット曲のように男女二人が歌唱を行うカラオケ楽曲の場合には、パート毎にそれぞれ異なる表示色で歌詞テロップが表示される。具体的には、男声パートは青色で歌詞表示を行う一方、女声パートは赤色で歌詞表示を行うことにより、いずれのパートであるかを判断できるようになっている。
【０００３】
ところで、カラオケ演奏装置を用いて歌唱を楽しむ場合には、ソロで歌唱するか、デュエット曲を二人で歌唱する場合が多く、現在の歌詞テロップ表示も、このような歌唱方法に合わせて、１色表示、あるいは２色表示となっている。
【０００４】
従来、歌唱者の好みに応じて、歌詞テロップの表示色を設定することができる技術が開示されている（特許文献１参照）。この特許文献１に記載された技術は、演奏曲の音楽データに基づいて、当該演奏曲のカラオケ演奏を行うカラオケ演奏手段と、演奏曲の対応する歌詞データに基づいて、当該演奏曲の歌詞テロップを表示する歌詞表示手段と、歌詞テロップの表示色を、予め定められた複数の表示色のいずれかに設定する歌詞表示色設定手段と、歌詞テロップを設定された表示色で表示手段に表示させる表示制御手段と、を備えている。
【０００５】
【特許文献１】特開平９−３０５１８５号公報
【発明の開示】
【発明が解決しようとする課題】
【０００６】
しかし、実際には、上述したソロ、デュエットのような従来の歌唱方法の他に、１つのカラオケ楽曲が演奏されている際に、当該カラオケ楽曲を３人以上で歌唱する場合もあった。例えば、複数の利用者が同一のカラオケルームに入室して、現在演奏されているカラオケ楽曲について、複数の歌唱者が交代で歌唱するような場合である。この際、１本又は２本以上のマイクロホンを歌唱者の間で手渡しながら交代で歌唱を行うが、一人の歌唱者が夢中になって歌唱を続け、他の歌唱者との間で歌唱時間に偏りが生じてしまうことがある。このような事態となると、歌唱者の間で反目が生じて、楽しいはずの歌唱がつまらなくなってしまうおそれがある。すなわち、現在、歌唱を行っている歌唱者にとってみれば、歌唱者間で不公平が生じないように、自らの歌唱時間を判断することは困難であり、客観的な時間配分が必要となる。
【０００７】
この点、従来の技術では、デュエット曲が演奏される場合に、パート毎にそれぞれ異なる表示色で歌詞テロップを表示することにより、歌唱を交代するようになっているが、これは時間的なバランスを考慮したものではなく、歌唱パートを明確なものとするためのものであり、上述した不都合を解消することはできない。
【０００８】
また、上述した特許文献１に記載された技術は、歌唱者の好みに応じて、歌詞テロップの表示色を設定するものであり、１つのカラオケ楽曲を複数の歌唱者が交代で歌唱する際に、適切な時間配分を行うことについては何ら言及されていない。
【０００９】
そこで、本発明は、上述した事情に鑑み提案されたもので、複数の歌唱者が任意のカラオケ楽曲について交代で歌唱する際に、各歌唱者の歌唱時間に偏りが生じることがないように、各歌唱者の歌唱範囲を指示することが可能なカラオケ歌詞表示配色システムを提供することを目的とする。
【課題を解決するための手段】
【００１０】
本発明のカラオケ歌詞表示配色システムは、上述した目的を達成するため、以下の特徴点を有している。すなわち、本発明のカラオケ歌詞表示配色システムは、複数の歌唱者が任意のカラオケ楽曲について交代で歌唱する際に、表示装置に表示される歌詞文字の表示色を、各歌唱者の歌唱範囲に対応させて配色するシステムであって、歌唱人数設定登録手段と、歌唱範囲分配手段と、歌詞文字配色設定手段と、を備えている。
【００１１】
歌唱人数設定登録手段は、所定の選曲手段をもって任意のカラオケ楽曲について予約を行う際に、当該選曲手段を構成する入出力手段にて入力設定された歌唱人数を、当該カラオケ楽曲に付帯させて予約待ち行列に登録させるための手段である。歌唱範囲分配手段は、予約待ち行列に登録されたカラオケ楽曲の歌唱時間を、当該カラオケ楽曲の歌唱人数に対応させて、各歌唱者の歌唱範囲として分配するための手段である。歌詞文字配色設定手段は、分配された各歌唱者の歌唱範囲に対応させて、それぞれ異なる歌詞文字の表示色を設定するための手段である。
【００１２】
一般的なカラオケ演奏装置では、カラオケリモコン装置等からなる選曲手段を用いてカラオケ楽曲の予約を行う。そこで、上述した構成からなるカラオケ歌詞表示配色システムでは、任意のカラオケ楽曲について予約を行う際に、選曲手段を用いて、カラオケ楽曲を特定するための楽曲ＩＤ等と共に、当該カラオケ楽曲を交代で歌唱する歌唱者の人数を入力する。続いて、歌唱人数設定登録手段により、選曲手段にて入力設定された歌唱人数を、当該カラオケ楽曲に付帯させて予約待ち行列に登録させる。
【００１３】
そして、歌唱範囲分配手段により、予約待ち行列に登録されたカラオケ楽曲の歌唱時間を、当該カラオケ楽曲の歌唱人数に対応させて、各歌唱者の歌唱範囲として分配する。例えば、総歌唱時間が４分のカラオケ楽曲を３人の歌唱者が交代で歌唱する場合には、各歌唱者の歌唱時間がそれぞれ１分２０秒程度となるように歌唱範囲を分配する。
【００１４】
各歌唱者の歌唱範囲が決定されると、歌詞文字配色設定手段により、分配された各歌唱者の歌唱範囲に対応させて、それぞれ異なる歌詞文字の表示色を設定する。例えば、１つのカラオケ楽曲を３人の歌唱者が交代で歌唱する場合には、各歌唱者の歌唱範囲における歌詞文字の表示色としてそれぞれ赤色、青色、緑色を設定する。
複数の歌唱者が交代で歌唱を行うカラオケ楽曲が演奏されると、表示装置において歌詞テロップを表示する際に、各歌唱者の歌唱範囲別に設定された表示色を用いて歌詞文字が表示される。
【００１５】
また、上述した構成に加えて、ログイン利用者管理手段をさらに備えると共に、歌詞文字配色設定手段の機能として、入出力手段にて入力設定された利用者ＩＤ毎の表示色に基づき、分配された各歌唱者の歌唱範囲に対応させて、それぞれ異なる歌詞文字の表示色を設定する機能を付加することが可能である。ログイン利用者管理手段は、現にカラオケ演奏装置にログインしている利用者を、利用者ＩＤに基づき特定して管理するための手段である。
【００１６】
このような構成からなるカラオケ歌詞表示配色システムでは、利用者がカラオケ演奏装置にログインすると、ログイン利用者管理手段により、当該利用者を利用者ＩＤに基づき特定して管理する。また、選曲手段を用いて利用者ＩＤ毎の表示色が設定されると、歌詞文字配色設定手段により、入力設定された利用者ＩＤ毎の表示色に基づき、分配された各歌唱者の歌唱範囲に対応させて、それぞれ異なる歌詞文字の表示色が設定される。そして、利用者ＩＤ毎の表示色が設定されたカラオケ楽曲が演奏される際に、設定された表示色で歌詞文字が表示される。
【発明の効果】
【００１７】
本発明のカラオケ歌詞表示配色システムによれば、カラオケ楽曲の歌唱人数に対応させて、各歌唱者の歌唱範囲を略均等に分配し、分配された各歌唱者の歌唱範囲に対応させて、それぞれ異なる歌詞文字の表示色を設定する。
したがって、複数の歌唱者が任意のカラオケ楽曲について交代で歌唱する際に、歌詞文字の表示色に応じて歌唱者を交代すればよく、歌唱者の交代タイミングを客観的な時間配分に基づき指示することができる。このため、各歌唱者の歌唱時間に偏りが生じることがなく、カラオケ演奏装置を利用した歌唱の楽しさを十分に享有させることができる。
さらに、利用者ＩＤに対応付けて表示色を設定した場合には、どの歌唱者がどの歌唱範囲を歌唱するかがより一層明確なものとなる。
【発明を実施するための最良の形態】
【００１８】
以下、図面を参照して、本発明のカラオケ歌詞表示配色システムの実施形態を説明する。
図１は本発明の実施形態に係るカラオケ歌詞表示配色システムを適用するカラオケ演奏装置のブロック図である。また、図２は予約待ち行列の構成を示す説明図、図３は歌詞文字配色データテーブルの構成を示す説明図、図４は利用者対応文字配色データテーブルの構成を示す説明図である。また、図５は楽曲検索画面を示す模式図、図６は歌唱人数の設定画面を示す模式図、図７はパートナーと文字色の設定画面を示す模式図、図８は選曲画面を示す模式図である。
本発明の実施形態に係るカラオケ歌詞表示配色システムは、複数の歌唱者が一のカラオケ楽曲について交代で歌唱する際に、表示装置に表示される歌詞文字の表示色を、各歌唱者の歌唱範囲に対応させて配色するためのシステムであり、カラオケ演奏装置の構成要素とされている。以下、本発明の実施形態に係るカラオケ歌詞表示配色システムを適用するカラオケ演奏装置について説明する。
【００１９】
＜カラオケ演奏装置＞
本発明の実施形態に係るカラオケ演奏装置１１は、図１に示すように、カラオケ本体２１、カラオケリモコン装置２２、ミキシングアンプ２３、スピーカ２４、マイクロホン２５、表示装置２６を備えている。カラオケ本体２１と表示装置２６とは、有線方式又は無線方式により接続されている。
【００２０】
＜カラオケリモコン装置＞
カラオケリモコン装置２２は、ユーザインタフェース機能を備えており、カラオケ本体２１の送受信手段３６に対して有線方式又は無線方式によりデータの送受信を行うようになっている。このカラオケリモコン装置２２は、選曲手段２２ａとして機能する機器及びプログラム、データの送受信を行うための回路基板及びプログラム、カードリーダ等からなる利用者ＩＤ取得手段２２ｄ、フラッシュメモリ等からなる記憶手段（図示せず）を備えている。
【００２１】
＜選曲手段／楽曲索引データベース＞
選曲手段２２ａは、入出力手段２２ｂ及び楽曲索引データベース２２ｃを備えおり、選曲プログラムの機能により、入出力手段２２ｂからの入力に基づき、楽曲索引データベース２２ｃを参照して楽曲を検索する。楽曲索引データベース２２ｃは、カラオケ演奏装置１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２２】
＜入出力手段＞
入出力手段２２ｂは、タッチパネル式の液晶表示装置からなり、この入出力手段２２ｂにタッチ入力することにより、利用者のログイン操作、楽曲検索操作、選曲指定操作、歌唱パートナー指定操作、文字配色指定操作等の種々の操作が可能となっている。
【００２３】
＜利用者ＩＤ取得手段＞
利用者ＩＤ取得手段２２ｄは、利用者がカラオケ演奏装置１１を利用する際に、利用者が所持するＩＤ媒体２７から利用者ＩＤを取得するための電子回路及びプログラムからなる。利用者ＩＤ取得手段２２ｄで取得した利用者ＩＤは、ＲＡＭ３３に一時的に記憶され、ログイン利用者管理手段４０で管理される。ＩＤ媒体２７は、例えば、非接触型のＩＣカード、携帯電話、携帯情報端末等からなり、利用者ＩＤを記憶して、利用者ＩＤ取得手段２２ｄとの間でデータの送受信を行うことができるようになっている。
【００２４】
＜カラオケ本体＞
カラオケ本体２１は、中央制御手段３１、ＲＯＭ３２、ＲＡＭ３３、ＨＤＤ３４、予約管理手段３５、送受信手段３６、歌唱人数設定登録手段３７、歌唱範囲分配手段３８、歌詞文字配色設定手段３９、ログイン利用者管理手段４０、音楽再生制御手段４１、映像再生制御手段４２を備えている。
【００２５】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたアプリケーションプログラムに従って動作することにより、制御機能を発揮することができるようになっている。
【００２６】
＜ＲＯＭ／ＲＡＭ＞
ＲＯＭ３２は、カラオケ本体２１を構成する各機器を制御するためのアプリケーションプログラムデータや数値データを記憶するための機器で、例えば半導体メモリ等で構成される。また、ＲＡＭ３３は、アプリケーションプログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ、歌詞文字配色データテーブル３３ｂ、利用者対応文字配色データテーブル３３ｃが格納されている。予約待ち行列３３ａ、歌詞文字配色データテーブル３３ｂ、利用者対応文字配色データテーブル３３ｃについては、後に詳述する。
【００２７】
＜ＨＤＤ／楽曲データベース／映像データベース＞
ＨＤＤ３４には、楽曲データベース３４ａ及び映像データベース３４ｂが格納されている。なお、ＨＤＤ３４に替えて、あるいはＨＤＤ３４と共に、データを書き替え可能なＤＶＤ等の大容量記憶装置を用いてもよい。
【００２８】
楽曲データベース３４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。なお、本発明では、表示装置２６に表示される歌詞文字の文字色を変更可能となっているが、歌詞文字として表示可能な複数の文字色データは楽曲データベース３４ａに格納されている。映像データベース３４ｂは、演奏される楽曲に対応した背景映像を、当該楽曲の楽曲ＩＤに対応させた映像ファイルとして所定数格納したデータベースである。
【００２９】
＜予約管理手段＞
予約管理手段３５は、利用者により選曲手段２２ａの機能を用いて選曲され、送受信手段３６を介して送信された当該選曲者の利用者情報（例えば利用者ＩＤ）及び選曲された楽曲ＩＤを対応付けて予約待ち行列３３ａとしてＲＡＭ３３に格納し、管理するためのプログラムである。この予約管理手段３５は、予約待ち行列３３ａの登録に関連する手段として、歌唱人数設定登録手段３７を含んでいる。なお、楽曲選択の表示や予約待ち行列３３ａの表示は、カラオケリモコン装置２２の入出力手段２２ｂ及び表示装置２６のいずれか一方、あるいは双方で行うことができる。
【００３０】
＜歌唱人数設定登録手段＞
歌唱人数設定登録手段３７は、任意のカラオケ楽曲について予約を行う際に、選曲手段２２ａを構成する入出力手段２２ｂにて入力設定された歌唱者の人数を、当該カラオケ楽曲に付帯させて予約待ち行列３３ａに登録させるためのプログラムからなる。図２及び図６を参照して、歌唱人数の設定及び予約待ち行列について説明する。
【００３１】
図６に示すように、選曲に際して、カラオケリモコン装置２２の入出力手段２２ｂが操作されて歌唱者の人数が入力設定されると、歌唱人数設定登録手段３７の機能により、入力設定された歌唱人数を、当該カラオケ楽曲に付帯させて予約待ち行列３３ａに登録させる。予約待ち行列３３ａは、図２に示すように、演奏順に、楽曲ＩＤ、楽曲名、歌唱人数を記憶したデータテーブルである。カラオケ演奏装置１１におけるカラオケ楽曲の演奏は、この予約待ち行列３３ａに従って順番に行われる。
【００３２】
なお、歌唱者に対応して歌詞文字の表示色を設定する機能を有する場合には、図７に示すように、パートナー及び文字色の設定画面が表示され、各歌唱者の文字色が設定可能となる。また、歌唱者に対応して歌詞文字の表示色を設定する機能を有しない場合には、図６に示す歌唱人数の設定画面において、パートナー及び文字色の設定ボタンは表示されない。
【００３３】
＜歌唱範囲分配手段＞
歌唱範囲分配手段３８は、予約待ち行列３３ａに登録されたカラオケ楽曲の歌唱時間を、当該カラオケ楽曲の歌唱人数に対応させて、各歌唱者の歌唱範囲として分配するためのプログラムからなる。すなわち、歌唱範囲分配手段３８は、予約待ち行列３３ａに登録された歌唱人数に応じて、当該カラオケ楽曲の歌唱時間を人数で除すことにより、歌唱範囲を分配する。
【００３４】
この際、各歌唱者に割り当てられる歌唱時間は、完全に均等である必要はなく、略均等であればよい。すなわち、カラオケ楽曲は、Ａメロ、Ｂメロ、サビ等の複数の歌詞フレーズからなり、各歌唱者の歌唱時間が完全に均等となるように分配すると、歌詞フレーズの途中で次の歌唱者に交代しなければならない。したがって、歌詞フレーズの区切りがよい箇所で歌唱者が交代できるように、各歌唱者の歌唱時間が略均等となる範囲で歌唱範囲が分配される。例えば、ａさん、ｂさん、ｃさんの３人の歌唱者が交代で歌唱する場合には、１番はａさんが歌唱し、２番はｂさんが歌唱し、３番はｃさんが歌唱するように、歌唱範囲を分配することができる。また、ａさんは、１番のＡメロ、２番のＢメロ、３番のサビを歌唱し、ｂさんは、１番のＢメロ、２番のＡメロ、３番のＡメロを歌唱し、ｃさんは、１番のサビ、２番のサビ、３番のＢメロを歌唱するように、歌唱範囲を分配してもよい。なお、歌唱範囲の分配は、各歌唱者の歌唱時間が略均等であり、かつ歌唱に不自然さを生じさせない範囲であれば、どのような区切り方をしてもかまわない。
【００３５】
＜歌唱文字配色設定手段＞
歌詞文字配色設定手段３９は、歌唱範囲分配手段３８により分配された各歌唱者の歌唱範囲に対応させて、それぞれ異なる歌詞文字の表示色を設定するためのプログラムからなる。すなわち、歌詞文字配色設定手段３９は、上述したように分配された各歌唱者の歌唱範囲について、歌唱者毎にそれぞれ異なる表示色となるように歌詞文字の色を設定し、歌詞文字配色データテーブル３３ｂとしてＲＡＭ３３に格納する。
【００３６】
また、歌唱者に対応して歌詞文字の表示色を設定する機能を有する場合には、歌詞文字配色設定手段３９の機能として、入出力手段２２ｂにて入力設定された利用者ＩＤ毎の表示色に基づき、分配された各歌唱者の歌唱範囲に対応させて、それぞれ異なる歌詞文字の表示色を設定するための機能が付加され、入力設定された利用者ＩＤ毎の表示色に基づいて、利用者対応文字配色データテーブル３３ｃが作成される。なお、利用者ＩＤ毎の表示色は、選曲を行う際に設定してもよいし、選曲とは無関係に、予め利用者対応文字配色データテーブル３３ｃを作成してＲＡＭ３３に格納し、選曲を行う際に文字配色データを読み出してもよい。
【００３７】
図３を参照して、歌詞文字配色データテーブル３３ｂについて説明する。歌詞文字配色データテーブル３３ｂは、図３に示すように、楽曲ＩＤと、各歌唱者の歌唱範囲に対応した歌詞文字の表示色とを対応付けて構成されている。図３に示す例では、楽曲ＩＤが「１１＊＊−０１」であるカラオケ楽曲は、２人の歌唱者で歌唱するように設定されており、例えば、ａさんの歌唱範囲は赤色（Ｒ）で歌詞文字を表示し、ｂさんの歌唱範囲は緑色（Ｇ）で歌詞文字を表示するようになっている。また、楽曲ＩＤが「１０＊＊−０２」であるカラオケ楽曲は、３人の歌唱者で歌唱するように設定されており、例えば、ａさんの歌唱範囲は赤色（Ｒ）で歌詞文字を表示し、ｂさんの歌唱範囲は緑色（Ｇ）で歌詞文字を表示し、ｃさんの歌唱範囲は青色（Ｂ）で歌詞文字を表示するようになっている。また、楽曲ＩＤが「３２＊＊−０２」であるカラオケ楽曲は、４人の歌唱者で歌唱するように設定されており、例えば、ａさんの歌唱範囲は赤色（Ｒ）で歌詞文字を表示し、ｂさんの歌唱範囲は緑色（Ｇ）で歌詞文字を表示し、ｃさんの歌唱範囲は青色（Ｂ）で歌詞文字を表示し、ｄさんの歌唱範囲は白色（Ｗ）で歌詞文字を表示するようになっている。
【００３８】
歌唱者に対応して歌詞文字の表示色を設定する機能を有する場合には、図７に示すように、カラオケリモコン装置２２の入出力手段２２ｂに、パートナー及び文字色の設定画面が表示される。そして、パートナー及び各歌唱者の文字色が入力設定されると、歌詞文字配色設定手段３９の機能により、入力設定された利用者ＩＤ毎の表示色に基づいて、利用者対応文字配色データテーブル３３ｃが作成される。この際、歌唱者を特定するために、ログイン利用者管理手段４０における管理データが使用される。利用者対応文字配色データテーブル３３ｃは、図４に示すように、利用者ＩＤと表示色とを対応付けたデータテーブルである。この場合、各歌唱者の表示色が重複しないように、既に入力設定された表示色と同一の表示色を選択することできないような制御が行われる。上述したように、利用者対応文字配色データテーブル３３ｃは、選曲を行う際に作成してもよいし、選曲とは無関係に予め作成しておいてもよい。予め利用者対応文字配色データテーブル３３ｃを作成する場合には、カラオケリモコン装置２２の入出力手段２２ｂに文字色の設定画面を表示させ、利用者ＩＤ毎の表示色を入力設定すればよい。
【００３９】
なお、歌唱者に対応して歌詞文字の表示色を設定しない場合には、図７に示すパートナー及び文字色の設定画面は表示されない。この場合には、利用者対応文字配色データテーブル３３ｃを省略することができる。
【００４０】
＜ログイン利用者管理手段＞
ログイン利用者管理手段４０は、現に当該カラオケ演奏装置１１にログインしている利用者を、利用者ＩＤに基づき特定して管理するためのプログラムからなる。すなわち、ログイン利用者管理手段４０では、利用者ＩＤ取得手段２２ｄにより利用者ＩＤが取得されると、この利用者ＩＤに基づいてカラオケ演奏装置１１にログインしている利用者を特定して管理する。
【００４１】
＜音楽再生制御手段＞
音楽再生制御手段４１は、楽曲ＩＤに基づいて楽曲データベース３４ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段４１から送出される演奏音声信号とをミキシングすると共に、アンプ機能により増幅してスピーカ２４より出力させるための装置である。なお、マイクロホン２５の数は１本に限られず、２本以上であってもよい。
【００４２】
＜映像再生制御手段／表示装置＞
映像再生制御手段４２は、カラオケ楽曲の演奏中に、映像データベース３４ｂから抽出した映像データ、及び楽曲データベース３４ａから抽出した楽曲データのうちの歌詞テロップデータ（歌詞文字データ）を当該楽曲の演奏データに同期させて表示装置２６に出力するための電子回路である。本発明では、歌詞文字配色設定手段３９により設定され、歌詞文字配色データテーブル３３ｂに格納された歌詞文字配色データに基づく表示色により、歌詞文字が表示される。さらに、映像再生制御手段４２は、カラオケリモコン装置２２を介した利用者からの操作指示による予約楽曲リストの表示等を表示装置２６に表示させる機能も有している。
表示装置２６は、カラオケ演奏時の映像、歌詞テロップ等を表示するための装置で、例えば、ＣＲＴディスプレイ、液晶ディスプレイ、プラズマディスプレイ等により構成される。
【００４３】
＜送受信手段＞
送受信手段３６は、カラオケリモコン装置２２との間でデータの送受信を行うための電子回路及びプログラムからなる。
【００４４】
＜歌詞文字の配色＞
次に、図５〜図８を参照して、歌詞文字の配色について、順を追って説明する。
本実施形態のカラオケ演奏装置１１における選曲は、選曲手段２２ａの機能を用いて行われる。すなわち、図５に示すように、カラオケリモコン装置２２の入出力手段２２ｂに表示された楽曲検索画面において所望の楽曲を選択すると共に、歌唱人数の設定ボタンが操作されると、図６に示す歌唱人数の設定画面へ移行する。
【００４５】
この歌唱人数の設定画面において、歌唱人数を入力すると、歌唱範囲分配手段３８の機能により、入力設定された歌唱人数を、当該カラオケ楽曲に付帯させて予約待ち行列３３ａに登録させる。なお、予約待ち行列３３ａは、楽曲予約の操作が完了した際に作成されるため、入力設定された歌唱人数は、予約待ち行列３３ａを作成する際に登録される。また、歌唱者に対応して歌詞文字の表示色を設定する機能を有する場合には、図６に示す歌唱人数の設定画面において、パートナー及び文字色の設定ボタンが操作されると、図７に示すパートナー及び文字色の設定画面に移行し、パートナー及び各歌唱者の文字色を設定することができる。この場合には、歌詞文字配色設定手段３９の機能により、歌唱者が所望する表示色で文字色が入力設定されて、利用者対応文字配色データテーブル３３ｃが作成される。
【００４６】
そして、図６に示す歌唱人数の設定画面又は図７に示すパートナー及び文字色の設定画面において、設定ボタンが操作されると、図８に示す選曲画面に移行する。この選曲画面において、演奏キー等の設定が行われて転送ボタンが操作されると、楽曲予約の操作が完了し、当該カラオケ楽曲に関する予約待ち行列３３ａが作成される。
【００４７】
続いて、歌唱範囲分配手段３８の機能により、予約待ち行列３３ａに登録されたカラオケ楽曲の歌唱時間を、当該カラオケ楽曲の歌唱人数に対応させて、各歌唱者の歌唱範囲を分配する。さらに、歌詞文字配色設定手段３９の機能により、分配された各歌唱者の歌唱範囲に対応させて、歌唱者毎にそれぞれ異なる表示色となるように歌詞文字の色を設定し、歌詞文字配色データテーブル３３ｂを作成する。この際、歌唱者が所望する表示色で文字色を設定する機能を有している場合には、利用者対応文字配色データテーブル３３ｃを参照して、歌詞文字の配色が行われる。
【００４８】
そして、複数の歌唱者が交代で歌唱を行うように設定されたカラオケ楽曲が演奏されると、表示装置２６において歌詞テロップを表示する際に、各歌唱者の歌唱範囲別に設定された表示色を用いて歌詞文字が表示される。
【００４９】
＜他の実施形態＞
本発明のカラオケ歌詞表示配色システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５０】
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者情報である利用者ＩＤ等を集中管理することにより、ネットワーク接続されたカラオケ演奏端末であれば、どのカラオケ演奏端末を利用した場合であっても同様のサービスを提供することができる。
【図面の簡単な説明】
【００５１】
【図１】本発明の実施形態に係るカラオケ歌詞表示配色システムを適用するカラオケ演奏装置のブロック図。
【図２】予約待ち行列の構成を示す説明図。
【図３】歌詞文字配色データテーブルの構成を示す説明図。
【図４】利用者対応文字配色データテーブルの構成を示す説明図。
【図５】楽曲検索画面を示す模式図。
【図６】歌唱人数の設定画面を示す模式図。
【図７】パートナーと文字色の設定画面を示す模式図。
【図８】選曲画面を示す模式図。
【符号の説明】
【００５２】
１１  カラオケ演奏装置
２１  カラオケ本体
２２  カラオケリモコン装置
２２ａ  選曲手段
２２ｂ  入出力手段
２２ｃ  楽曲索引データベース
２２ｄ  利用者ＩＤ取得手段
２３  ミキシングアンプ
２４  スピーカ
２５  マイクロホン
２６  表示装置
２７  ＩＤ媒体
３１  中央制御手段
３２  ＲＯＭ
３３  ＲＡＭ
３３ａ  予約待ち行列
３３ｂ  歌詞文字配色データテーブル
３３ｃ  利用者対応文字配色データテーブル
３４  ＨＤＤ
３４ａ  楽曲データベース
３４ｂ  映像データベース
３５  予約管理手段
３６  送受信手段
３７  歌唱人数設定登録手段
３８  歌唱範囲分配手段
３９  歌詞文字配色設定手段
４０  ログイン利用者管理手段
４１  音楽再生制御手段
４２  映像再生制御手段
【図１】
2010128138.tif 000003
【図２】
2010128138.tif 000004
【図３】
2010128138.tif 000005
【図４】
2010128138.tif 000006
【図５】
2010128138.tif 000007
【図６】
2010128138.tif 000008
【図７】
2010128138.tif 000009
【図８】
2010128138.tif 000010